(57)【要約】【課題】ピボット軸を受ける軸受け部材の上枠への固定を容易にし、組立・施工を改善したドアを提供する。【解決手段】軸受け部材２５は、ピボット軸１１の上端部を受ける軸受け部２９と、上枠７に取付ける取付部３１と、傷付き防止プレート部５１とを有し、上枠下面７ａに軸受け部露出孔３３が形成してあり、軸受け部２９は軸受け部露出孔３３に対応する位置で上枠内部２３に配置してあり且つピボット軸１１の上端部が挿入される軸受け孔２９ｂが形成してあり、軸受け孔２９ｂの周りにピボット軸１１を軸受け孔２９ｂに案内する軸受け孔周りガイド部５９を有し、軸受け部材２５の取付部３１と傷付き防止プレート部５１は上枠下面に配置してあり、傷付き防止プレート部５１はピボット軸１１を軸受け部２９へ案内するピボット軸ガイド部５５ａ、５５ｂを有する。【選択図】図１
2015086581.tif 000002
【特許請求の範囲】
【請求項１】
上端にピボット軸を突出した扉と、上枠に設けた軸受け部材とを備え、軸受け部材は、ピボット軸の上端部を受ける軸受け部と、上枠に取付ける取付部とを有し、上枠には下面に軸受け部露出孔が形成してあり、軸受け部は軸受け部露出孔に対応する位置で上枠内部に配置してあり、取付部は上枠下面に配置してあることを特徴とするドア。
【請求項２】
上端にピボット軸を突出した扉と、上枠に設けた軸受け部材と、補助プレートとを備え、軸受け部材は、ピボット軸の上端部を受ける軸受け部と、上枠に取付ける取付部とを有し、上枠には下面に軸受け部露出孔が形成してあり、軸受け部は軸受け部露出孔に対応する位置で上枠内部に配置してあり、取付部は上枠下面に配置してあり、補助プレートは、ピボット軸が挿通する挿通孔部と、遮蔽部とを有し、挿通孔部は軸受け部材の軸受け部に対応して位置し、遮蔽部は上枠の軸受け部露出孔を遮蔽していることを特徴とするドア。
【請求項３】
上端にピボット軸を突出した扉と、上枠に設けた軸受け部材とを備え、軸受け部材は、ピボット軸の上端部を受ける軸受け部と、上枠に取付ける取付部と、傷付き防止プレート部とを有し、上枠には下面に軸受け部露出孔が形成してあり、軸受け部は軸受け部露出孔に対応する位置で上枠内部に配置してあり且つピボット軸の上端部が挿入される軸受け孔が形成してあり、軸受け孔の周りにピボット軸を軸受け孔に案内する軸受け孔周りガイド部を有し、軸受け部材の取付部と傷付き防止プレート部は上枠下面に配置してあり、傷付き防止プレート部はピボット軸を軸受け部へ案内するピボット軸ガイド部を有することを特徴とするドア。
【発明の詳細な説明】
【技術分野】
【０００１】
本発明は、ドアに関する。
【背景技術】
【０００２】
特許文献１には、予め上枠の長手方向端部から上枠内部に裏板を挿入して、この裏板に軸受け部材をねじ止めすることで、軸受け部材を上枠に固定することが開示されている。
【先行技術文献】
【特許文献】
【０００３】
【特許文献１】特開２０１０−２２２９６２号公報
【発明の概要】
【発明が解決しようとする課題】
【０００４】
しかし、特許文献１の技術では、上枠の長手方向端部から上枠の内部に裏板を挿入して、上枠下面側から裏板に軸受け部材をねじ止めして上枠に固定しなければならないので、組立・施工に手間がかかるという問題があった。
【０００５】
そこで、本発明は、ピボット軸を受ける軸受け部材の上枠への固定を容易にし、組立・施工を改善したドアの提供を目的とする。
【課題を解決するための手段】
【０００６】
請求項１に記載の発明は、上端にピボット軸を突出した扉と、上枠に設けた軸受け部材とを備え、軸受け部材は、ピボット軸の上端部を受ける軸受け部と、上枠に取付ける取付部とを有し、上枠には下面に軸受け部露出孔が形成してあり、軸受け部は軸受け部露出孔に対応する位置で上枠内部に配置してあり、取付部は上枠下面に配置してあることを特徴とするドアである。
【０００７】
請求項２に記載の発明は、上端にピボット軸を突出した扉と、上枠に設けた軸受け部材と、補助プレートとを備え、軸受け部材は、ピボット軸の上端部を受ける軸受け部と、上枠に取付ける取付部とを有し、上枠には下面に軸受け部露出孔が形成してあり、軸受け部は軸受け部露出孔に対応する位置で上枠内部に配置してあり、取付部は上枠下面に配置してあり、補助プレートは、ピボット軸が挿通する挿通孔部と、遮蔽部とを有し、挿通孔部は軸受け部材の軸受け部に対応して位置し、遮蔽部は上枠の軸受け部露出孔を遮蔽していることを特徴とするドアである。
【０００８】
請求項３に記載の発明は、上端にピボット軸を突出した扉と、上枠に設けた軸受け部材とを備え、軸受け部材は、ピボット軸の上端部を受ける軸受け部と、上枠に取付ける取付部と、傷付き防止プレート部とを有し、上枠には下面に軸受け部露出孔が形成してあり、軸受け部は軸受け部露出孔に対応する位置で上枠内部に配置してあり且つピボット軸の上端部が挿入される軸受け孔が形成してあり、軸受け孔の周りにピボット軸を軸受け孔に案内する軸受け孔周りガイド部を有し、軸受け部材の取付部と傷付き防止プレート部は上枠下面に配置してあり、傷付き防止プレート部はピボット軸を軸受け部へ案内するピボット軸ガイド部を有することを特徴とするドアである。
【発明の効果】
【０００９】
請求項１に記載の発明によれば、軸受け部材は、上枠下面に形成してある軸受け部露出孔に対応する位置で、上枠内部に軸受け部を配置し、上枠下面に配置している軸受け部材の取付部を上枠に固定する。
軸受け部材の取付部は上枠下面に配置してあり、上枠下面側から上枠に固定できるので、軸受け部材の上枠への固定が容易であり、組立・施工がし易い。
【００１０】
請求項２に記載の発明によれば、軸受け部材は、上枠下面に形成してある軸受け部露出孔に対応する位置で、上枠内部に軸受け部を配置し、上枠下面に配置している軸受け部材の取付部を上枠に固定する。
軸受け部材の取付部は上枠下面に配置してあり、上枠下面側から上枠に固定できるので、軸受け部材の上枠への固定が容易であり、組立・施工がし易い。
補助プレートの遮蔽部は、上枠の軸受け部露出孔を遮蔽し、上枠に形成した孔が見えないので外観を損ねることがない。
【００１１】
請求項３に記載の発明によれば、軸受け部材は、上枠下面に形成してある軸受け部露出孔に対応する位置で、上枠内部に軸受け部を配置し、上枠下面に配置している軸受け部材の取付部を上枠に固定する。
軸受け部材の取付部は、上枠下面に配置してあり、上枠下面側から上枠に固定できるので、軸受け部材の上枠への固定が容易であり、組立・施工がし易い。
ピボット軸の上端を傷付き防止プレート部に当ててピボット軸ガイド部に沿って移動させ、ピボット軸を軸受け部に案内すると共に、軸受け部では軸受け孔周りガイド部がピボット軸を軸受け孔に案内するからピボット軸を軸受け孔に容易に案内でき、建て込み性が良い。
特に、軸受け孔周りガイド部では、ピボット軸が軸受け孔からずれたり、軸受け孔を通り越して移動するのを防止でき、ピボット軸を軸受け孔に確実に挿入することができる。
【図面の簡単な説明】
【００１２】
【図１】本発明の実施の形態にかかるドアであって、軸受け部材を取付けた上枠下面部分を下側から見た斜視図である。
【図２】図１に示す軸受け部材を上枠下面にねじで取り付けた状態を示す図であって、（ａ）は底面図、（ｂ）は室内側から見た正面図、（ｃ）は側面図である。
【図３】図１に示す軸受け本体をねじと共に示す図であって、（ａ）は平面図、（ｂ）は室内側から見た正面図、（ｃ）は側面図である。
【図４】図１に示す補助プレート（傷付き防止プレート部）の図であって、（ａ）は平面図、（ｂ）は室内側から見た正面図、（ｃ）は側面図である。
【図５】図１に示す軸受け孔周りガイド部材をねじと共に示す図であって、（ａ）は平面図、（ｂ）は室内側から見た正面図、（ｃ）は側面図である。
【図６】軸受け部材を取付ける部分の上枠の図であって、（ａ）は底面図、（ｂ）は軸受け本体と共に示す上枠の縦断面図であり、軸受け本体を上枠下面に取付ける方法を説明する図である。
【図７】ピボットヒンジの図であって、（ａ）は平面図、（ｂ）は側面図である。
【図８】図１０に示すＡ部の拡大図である。
【図９】図８に示す扉端部カバー材受けを室外側から見た正面図である。
【図１０】図１２に示すＥ−Ｅ縦断面である。
【図１１】図１２に示すＦ−Ｆ縦断面である。
【図１２】本発明の実施の形態にかかるドアを室外側から見た正面図である。
【発明を実施するための形態】
【００１３】
以下に、添付図面を参照して本発明の実施の形態を説明する。本発明の実施の形態に係るドア１は、枠３と扉５とを備えており、図１０に示すように、扉５は上枠７と下枠９との間で吊元側に設けた上ピボット軸１１と下ピボット軸１３により、枠３に対して回動自在に支持されている。
扉５の上端部には上ピボットヒンジ１５が固定してあり、図７に示すように、上ピボットヒンジ１５は上ピボット軸１１を収納した収納筒１７を備えており、上ピボット軸１１は収納筒１７内を上下方向に移動自在であると共に収納筒１７に設けてあるばね１９により、上方に付勢されている。上ピボット軸１１は上方に突出した位置でねじ２１により収納筒１７に固定するようになっている。
図１に示すように上枠７には、上ピボット軸１１を受ける軸受け部材２５と、補助プレート２７が設けてある。
【００１４】
図１〜図３に示すように、軸受け部材２５は、軸受け本体２６と、傷付き防止プレート部５１とを備えており、軸受け本体２６は、上ピボット軸１１の上端部を受ける軸受け部２９と、上枠７に取付ける取付部３１とで構成されている。尚、傷付き防止プレート部５１は、本実施の形態では、補助プレート２７に設けてある。
一方、図１０及び図６（ｂ）に示すように、上枠７は中空部２３を有し、図６（ａ）に示すように、上枠下面７ａには、軸受け部２９を露出する軸受け部露出孔３３と、軸受け部２９を中空部２３内に挿入する軸受け部挿入孔３５と、ねじ挿通孔３７とが形成されている。軸受け部挿入孔３５と軸受け部露出孔３３とは孔間壁部３９により隔ててある。
図２及び図３に示すように、軸受け部２９は、中空部２３内に突出する円筒部２９ａを有し、円筒内を軸受け孔２９ｂとしてあり、取付部３１には、ねじ４１の挿通孔４３が形成されている。
軸受け部２９と取付部３１との間には段部４５が設けてあり、軸受け部２９と取付部３１とは段差により、軸受け部２９は上枠７の中空部２３内で軸受け部露出孔３３に対応する位置に配置して、取付部３１は上枠下面７ａに配置してある。
【００１５】
図１に示すように、補助プレート２７は、上枠下面７ａに設けてあり、図４に示すように、上ピボット軸１１が挿通する挿通孔部４７と、遮蔽部４９と、傷付き防止プレート部５１と、取付部５３とを備えている。
図１に示すように、挿通孔部４７は、軸受け部材２５の軸受け部２９に対応する位置で上枠下面７ａに位置しており、遮蔽部４９は上枠下面７ａで上枠７の軸受け部露出孔３３を遮蔽している。
傷付き防止プレート部５１は、上枠下面７ａで軸受け部材２５の取付部３１の横で取付部３１に沿って設けてあり、上ピボット軸１１の上端が当接して移動するものである。
図４及び図２に示すように、補助プレート２７の取付部５３には、ねじ挿通孔５４と挿通溝２７ａが形成してあり、挿通溝２７ａに軸受け部材２５の段部４５を挿通して軸受け部材２５の取付部３１と上枠下面７ａとの間に配置して、軸受け部材２５を止めるねじ４１で上枠下面７ａに固定してある。
補助プレート２７の傷付き防止プレート部５１に対して軸受け部材２５の取付部３１は、下方に突出する段部になっており、この段部は上ピボット軸１１を挿通孔４７に案内する第１ピボット軸ガイド部５５ａになっている。
【００１６】
更に、補助プレート２７の遮蔽部４９の下面には、ピボット軸案内部材５７が取り付けてある。図１及び図５に示すように、ピボット軸案内部材５７は、補助プレート２７の挿通孔部４７の周囲部に設けた軸受け孔周りガイド部５９と、傷付き防止プレート部５１を移動してきた上ピボット軸１１を軸挿通孔部４７へ案内する第２ピボット軸ガイド部５５ｂとが設けてある。
軸受け孔周りガイド部５９は、挿通孔部４７の周囲部で傷付き防止プレート部５１とは反対の側に設けてあり且つ下方に突設してある。第２ピボット軸ガイド部５５ｂは、軸挿入孔部４７の傷付き防止プレート部５１側に配置して、傷付き防止プレート部５１を移動してきた上ピボット軸１１を軸挿入孔部４７側へ絞り込むように案内するように挿通孔部４７側に向けて傾斜してある。第２ピボット軸ガイド部５５ｂも軸受け孔周りガイド部５９と同様に下方に突設した突部としてある。
図１及び図２に示すように、ピボット軸案内部材５７は、ねじ６３により補助プレート２７のねじ挿通孔６４を介して軸受け本体２６の軸受け部２９に固定してある。
【００１７】
ここで、扉端部カバー材７１について説明する。図１０及び図１２に示すように、扉５の下端には吊元側部を除く左右方向に亘って扉端部カバー材７１が取り付けてある。
図８に示すように、この扉端部カバー材７１は、扉５の下端の室外側面に取り付けた扉端部カバー材受け７３に固定してある。
扉端部カバー材７１は、見付け面部７５と上面部７７と下面部７９とを有する断面略コ字形状を成す軟質樹脂材製であり、見付け面部７５には室内側に向けて突設する嵌合部８１が形成されている。また、上面部７７と下面部７９とには、各々扉端部カバー材受け７３に形成された被係合部８３に係合する係合部８５が形成されている。
扉端部カバー材７１の下面部７９は、扉５の下端見込み面のコーナー部を覆うように室内側に突出する見込み面部７９ａが形成されており、この見込み面部７９ａは、扉端部カバー材受け７３に装着する前の状態（図８に二点鎖線で示す）のときに角度Ｒで上方に傾斜してあり、扉端部カバー材受け７３に装着したときに扉下端の見込み面にぴったりと当接するようにしてある。
扉端部カバー材受け７３は、リベット８７で扉５の下端部に固定してあり、図９に示すように、位置決め孔７３ａと、位置調整可能な長孔７３ｂとが形成されている。
図１１に示すように、扉端部カバー材受け７３の左右両端には、各々キャップ８９が装着してある。
【００１８】
次に、軸受け部材２５の組立及び上枠への取付について説明する。
図６（ｂ）に示すように、上枠７の下面に形成された軸受け部挿入孔３５から、軸受け本体２６の軸受け部２９を挿入して、段部４５を上枠７の下面に掛けるようにして、二点鎖線で示すように、取付部３１を上枠下面７ａに当接するように、段部４５を中心にして回転する。これにより、図３に示すように、軸受け本体２６は、軸受け部２９を上枠７の中空部２３内で軸受け部露出孔３３に対応する位置に配置し、取付部３１は上枠下面に配置することができる。
次に、図１に示すように、補助プレート２７の挿通溝２７ａを軸受け本体２６の段部４５に挿入して、補助プレート２７の取付部５３を上枠下面７ａと軸受け本体２６の取付部３１との間に配置する。
そして、補助プレート２７の取付部５３と軸受け本体２６の取付部３１にねじ４１を挿通して、上枠下面７ａに下からねじ４１を締め付けて固定する。
次に、ピボット軸受け案内部材５７を補助プレート２７の挿通孔部４７の周囲に配置し、ねじ６３をピボット軸受け案内部材５７のねじ挿通孔６４及び補助プレート２７のねじ挿通孔４３に挿通して軸受け部材２５の軸受け部２９に固定する。
【００１９】
ここで、上ピボット軸１１を軸受け孔２９ｂに装着する操作について説明する。
図７（ｂ）に示すように、上ピボット軸１１は、ばね１９により上方に付勢された状態にあり、図１に示すように、扉５を枠３に建て付ける際に、上ピボット軸１１の上端を補助プレート２７の傷付き防止プレート部５１に当てて、傷付き防止プレート部５１をスライドさせるようにして、挿通孔部４７へ向けて移動する。このとき、上ピボット軸１１は軸受け部材２５に設けてある第１ピボット軸ガイド部５５ａに案内させて挿通孔部４７へ向けて移動することができる。
上ピボット軸１１を挿通孔部４７へ向けて移動しているときに、挿通孔部４７の手前では、上ピボット軸１１は第２ピボット軸ガイド部５５ｂにより、挿通孔部４７に向けて案内されて、挿通孔部４７に挿入される。
上ピボット軸１１は、挿通孔部４７に挿入されると、ばね１９の付勢力に順じて突出し、軸受け部２９の軸受け孔２９ｂに収納される。
上ピボット軸１１を軸受け孔２９ｂに挿入した後、ピボットヒンジ１５のねじ２１を締め付けて上ピボット軸１１を固定する。
【００２０】
本発明の実施の形態にかかるドアの作用効果について説明する。
軸受け部材２５の取付部３１は上枠下面７ａに配置してあるから、軸受け部２９を上枠７の内部に配置した状態で、上枠下面７ａ側から上枠７に軸受け部材２５を固定できるので、軸受け部材２５の上枠７への固定が容易であり、組立・施工がし易い。
補助プレート２７の遮蔽部４９は、上枠７の軸受け部露出孔３３を遮蔽し、上枠７に形成した軸受け部露出孔３３が下から見えないので外観を損ねることがない。
扉５の建て込み時には、上ピボット軸１１の上端を傷付き防止プレート部５１に当てて第１ピボット軸ガイド部５５ａ及び第２ピボット軸ガイド部５５ｂに沿って移動させ、上ピボット軸１１を軸受け部２９に案内すると共に、軸受け部２９では軸受け孔周りガイド部５９が上ピボット軸１１を軸受け孔２９ｂに案内するから上ピボット軸１１を軸受け孔２９ｂに容易に案内でき、建て込み性が良い。また、傷付き防止プレート部５１により、上枠７の傷付きを防止する。
特に、軸受け孔周りガイド部５９では、上ピボット軸１１が補助プレートの挿通孔部４７からずれたり、挿通孔部４７を通り越して移動するのを防止でき、上ピボット軸１１を軸受け孔２９ｂに確実に挿入することができる。
【００２１】
軸受け部材２５には、軸受け部２９と取付部３１との間に段部４５を形成しているので、取付付部３１を上枠下面に取付けることにより、軸受け部２９を上枠内に配置することができる。
また、図６（ｂ）に示すように、軸受け本体２６に段差４５を形成すると共に上枠下面７ａには、軸受け部露出孔３３の横に孔間壁部３９を介して軸受け部挿入孔３５を形成して、軸受け孔部挿入孔３５から軸受け本体２６の軸受け部２９を上枠７内に挿入する構成であるから、図３に示すように、軸受け本体２６を上枠下面７ａに係合した状態で、軸受け本体２６を上枠７に保持でき、軸受け本体２６から手を離して、補助プレート２７を取付けたり、軸受け部材２５にねじ２１の取り付け作業ができ、作業性が良い。
本実施の形態では、軸受け部材２５は、軸受け本体２６と、補助プレート２７と、ピボット軸受け案内部材５７とを別体にして、組み付けているので、各部材を簡単な形状にして製造できるから製造し易い。
【００２２】
扉端部カバー材７１を扉下端部に設けることにより、足のつま先等に、扉５の下端部が当たった場合に、足が傷付くのを防止できる。
扉下端の見込み面に、扉端部カバー材７１の見込み面部７９ａを設けているので、足の小さな子供等のつま先が扉下端と下枠９との間に挟まった場合にも足が傷付くのを防止できる。
【００２３】
本発明は、上述した実施の形態に限らず、本発明の要旨を逸脱しない範囲で種々変形可能である。
例えば、上枠下面７ａには、軸受け部挿入孔３５を形成しないで、軸受け部露出孔３３から軸受け部２９を上枠７内に配置しても良い。
ピボット軸受け案内部材５７は、補助プレート２７と一体に設けても良い。
軸受け部材２５は、軸受け本体２６に傷付き防止プレート部５１を一体に設けるものであっても良い。
請求項１に記載の軸受け部材２５は、軸受け本体２６のみで構成するものであっても良い。
【符号の説明】
【００２４】
１    ドア
７    上枠
７ａ  下面
１１  上ピボット軸（ピボット軸）
２５  軸受け部材
２６  軸受け本体
２７ｂ  障子右框（框）
２７  補助プレート
２９  軸受け部
２９ｂ  軸受け孔
３１  取付部
３３  軸受け部露出孔
４９  遮蔽部
５１  傷付き防止プレート部
５５ａ  第１ピボット軸ガイド部（ピボット軸ガイド部）
５５ｂ  第２ピボット軸ガイド部（ピボット軸ガイド部）
５９  軸受け孔周りガイド部
【図１】
2015086581.tif 000003
【図２】
2015086581.tif 000004
【図３】
2015086581.tif 000005
【図４】
2015086581.tif 000006
【図５】
2015086581.tif 000007
【図６】
2015086581.tif 000008
【図７】
2015086581.tif 000009
【図８】
2015086581.tif 000010
【図９】
2015086581.tif 000011
【図１０】
2015086581.tif 000012
【図１１】
2015086581.tif 000013
【図１２】
2015086581.tif 000014